(57)【要約】【課題】上下一対金型に呼称情報を付すことで、装着金型情報として蓄えられた履歴データを実質的に保存する。【解決手段】パンチングに用いる上下一対金型の金型情報に呼称情報を付与して管理する。上下一対金型が金型選択交換装置を含む機械に装着されているとき、工具番号または格納位置番号をキーとしてこれに上下一対金型の金型情報を対応させた装着金型情報を、装着金型データベース（２）に保存する。上下一対金型が機械から取り出されたとき、呼称情報をキーとして金型情報に装着履歴を含む金型装着実績情報を、金型装着実績データベース（３）に保存する。装着金型データベース（２）および金型装着実績データベース（３）の処理を実行する処理手段（６）は、上下一対金型を機械に装着するとき、呼称情報をキーとしてその上下一対金型の金型装着実績情報を装着金型情報に引き当てる。【選択図】図１
2005034874.tif 000002
【特許請求の範囲】
【請求項１】
金型選択交換装置を備えたパンチプレスの金型管理方法において、
パンチングに用いる上下一対金型の金型情報に呼称情報を付与し、
前記上下一対金型が金型選択交換装置を含む機械に装着されているとき、工具番号または格納位置番号をキーとしてこれに当該上下一対金型の金型情報を対応させた装着金型情報を用いて当該上下一対金型を管理し、
前記上下一対金型が前記機械から取り出されたとき、前記呼称情報をキーとして前記金型情報に装着履歴を含む金型装着実績情報を用いて当該上下一対金型を管理し、
前記上下一対金型を再び機械に装着するとき、前記呼称情報をキーとして当該上下一対金型の前記金型装着実績情報を前記装着金型情報に引き当てる、
ことを特徴とするパンチプレスの金型管理方法。
【請求項２】
金型選択交換装置を備えたパンチプレスにおいて、パンチングに用いる上下一対金型の金型情報に呼称情報を付与して管理する金型管理装置であって、
前記上下一対金型が金型選択交換装置を含む機械に装着されているとき、工具番号または格納位置番号をキーとしてこれに当該上下一対金型の金型情報を対応させた装着金型情報を、当該上下一対金型の管理に用いるため保存する装着金型データベースと、
前記上下一対金型が前記機械から取り出されたとき、前記呼称情報をキーとして前記金型情報に装着履歴を含む金型装着実績情報を、当該上下一対金型の管理に用いるため保存する金型装着実績データベースと、
を備えていることを特徴とするパンチプレスの金型管理装置。
【請求項３】
金型選択交換装置を備えたパンチプレスにおいて、パンチングに用いる上下一対金型の金型情報に呼称情報を付与して管理する金型管理装置であって、
前記上下一対金型が金型選択交換装置を含む機械に装着されているとき、工具番号または格納位置番号をキーとしてこれに当該上下一対金型の金型情報を対応させた装着金型情報を、当該上下一対金型の管理に用いるため保存する装着金型データベースと、
前記上下一対金型が前記機械から取り出されたとき、前記呼称情報をキーとして前記金型情報に装着履歴を含む金型装着実績情報を、当該上下一対金型の管理に用いるため保存する金型装着実績データベースと、
前記装着金型データベースおよび前記金型装着実績データベースの処理を実行する処理手段とを備え、
前記処理手段は、前記上下一対金型を機械に装着するとき、前記呼称情報をキーとして当該上下一対金型の前記金型装着実績情報を前記装着金型情報に引き当てることを特徴とするパンチプレスの金型管理装置。
【請求項４】
金型選択交換装置を備えたパンチプレスにおいて、パンチングに用いる上下一対金型の金型情報に呼称情報を付与して管理する金型管理装置であって、
前記上下一対金型が金型選択交換装置を含む機械に装着されているとき、工具番号または格納位置番号をキーとしてこれに当該上下一対金型の金型情報を対応させた装着金型情報を、当該上下一対金型の管理に用いるため保存する装着金型データベースと、
前記上下一対金型が前記機械から取り出されたとき、前記呼称情報をキーとして前記金型情報に装着履歴を含む金型装着実績情報を、当該上下一対金型の管理に用いるため保存する金型装着実績データベースと、
前記装着金型データベースの保存対象となる情報または保存情報を登録または編集し、または、前記金型装着実績データベースの保存対象となる情報または保存情報を登録または編集する仮装着金型データベースと、
前記装着金型データベース、前記金型装着実績データベースおよび前記仮装着金型データベースの処理を実行する処理手段と、
を備えていることを特徴とするパンチプレスの金型管理装置。
【発明の詳細な説明】
【技術分野】
【０００１】
この発明は、金型選択交換装置を備えたパンチプレスの金型管理方法と、金型管理装置に関するものである。
【背景技術】
【０００２】
一般に、パンチプレスにおいて多数の金型を機械に搭載するため、金型選択交換装置を備えることが行われている。このような金型選択交換装置には、ラック方式、タレット方式、ガトリング方式など種々の方式のものがある。
【０００３】
これらの金型選択交換装置を備えたパンチプレスでは、搭載する金型の本数増加にともない、金型の呼び出しや段取りなどの管理に役立てるため、情報を電子化して自動化を目指してきた。
【０００４】
具体的には、従来は、パンチプレスおよび金型選択交換装置を含む機械全体に搭載されている金型を装着金型情報として制御装置に登録し、データベース化していた。
【０００５】
また、機械全体に搭載されている金型全数に比べれば一部ではあるが比較的多数の金型を一度に段取りするときは、金型を１本ずつ段取りステーションから出し入れするよりも、格納場所に対して所要本数まとめて出し入れする方が作業効率のよい場合がある。
【０００６】
このように比較的多数の金型情報を一度に更新する必要があるとき、従来は、本登録されている機械全体の金型データベースを直接更新していた。
【特許文献１】特開平７−１６４０７３号公報
【特許文献２】特開２００３−１３４１号公報
【発明の開示】
【発明が解決しようとする課題】
【０００７】
しかしながら、機械全体に搭載されている金型を装着金型情報として登録することは、機械が停止しているときだけその登録を実行できるものであり、パンチプレスまたは金型選択交換装置の一部でも動いているときは、動いている部分の金型の状態が変わるため、登録を実行することができないという問題があった。
【０００８】
また、比較的多数の金型情報を一度に更新するときに、本登録されている機械全体の金型データベースを直接更新することは、利便性がよい反面、データに不備が生じた場合、そのデータを元どおり修正することに多大な労力を要するばかりでなく、ときには元のデータを完全には復元できないという問題があった。
【０００９】
さらに、最も大きい問題は、機械に搭載されている金型は管理できるが、一旦機械から取り出された金型を管理する方法がないことである。
【００１０】
そのため、上金型と下金型との一対で工具をなす上下一対金型について、装着金型情報として蓄えられた履歴データも、機械から取り出されることでその上下一対金型との対応関係が断たれる結果、その上下一対金型が再び機械に搭載されても履歴データと対応づけることができないという問題があった。
【００１１】
この発明の課題は、上記従来のもののもつ問題点を排除して、上下一対金型に呼称情報を付すことで、装着金型情報として蓄えられた履歴データを実質的に保存することのできるパンチプレスの金型管理方法およびその装置を提供することにある。
【課題を解決するための手段】
【００１２】
この発明は上記課題を解決するものであって、請求項１に係る発明は、金型選択交換装置を備えたパンチプレスの金型管理方法において、パンチングに用いる上下一対金型の金型情報に呼称情報を付与し、前記上下一対金型が金型選択交換装置を含む機械に装着されているとき、工具番号または格納位置番号をキーとしてこれに当該上下一対金型の金型情報を対応させた装着金型情報を用いて当該上下一対金型を管理し、前記上下一対金型が前記機械から取り出されたとき、前記呼称情報をキーとして前記金型情報に装着履歴を含む金型装着実績情報を用いて当該上下一対金型を管理し、前記上下一対金型を再び機械に装着するとき、前記呼称情報をキーとして当該上下一対金型の前記金型装着実績情報を前記装着金型情報に引き当てる、パンチプレスの金型管理方法である。
【００１３】
請求項２に係る発明は、金型選択交換装置を備えたパンチプレスにおいて、パンチングに用いる上下一対金型の金型情報に呼称情報を付与して管理する金型管理装置であって、前記上下一対金型が金型選択交換装置を含む機械に装着されているとき、工具番号または格納位置番号をキーとしてこれに当該上下一対金型の金型情報を対応させた装着金型情報を、当該上下一対金型の管理に用いるため保存する装着金型データベースと、前記上下一対金型が前記機械から取り出されたとき、前記呼称情報をキーとして前記金型情報に装着履歴を含む金型装着実績情報を、当該上下一対金型の管理に用いるため保存する金型装着実績データベースと、を備えているパンチプレスの金型管理装置である。
【００１４】
請求項３に係る発明は、金型選択交換装置を備えたパンチプレスにおいて、パンチングに用いる上下一対金型の金型情報に呼称情報を付与して管理する金型管理装置であって、前記上下一対金型が金型選択交換装置を含む機械に装着されているとき、工具番号または格納位置番号をキーとしてこれに当該上下一対金型の金型情報を対応させた装着金型情報を、当該上下一対金型の管理に用いるため保存する装着金型データベースと、前記上下一対金型が前記機械から取り出されたとき、前記呼称情報をキーとして前記金型情報に装着履歴を含む金型装着実績情報を、当該上下一対金型の管理に用いるため保存する金型装着実績データベースと、前記装着金型データベースおよび前記金型装着実績データベースの処理を実行する処理手段とを備え、前記処理手段は、前記上下一対金型を機械に装着するとき、前記呼称情報をキーとして当該上下一対金型の前記金型装着実績情報を前記装着金型情報に引き当てるパンチプレスの金型管理装置である。
【００１５】
請求項４に係る発明は、金型選択交換装置を備えたパンチプレスにおいて、パンチングに用いる上下一対金型の金型情報に呼称情報を付与して管理する金型管理装置であって、前記上下一対金型が金型選択交換装置を含む機械に装着されているとき、工具番号または格納位置番号をキーとしてこれに当該上下一対金型の金型情報を対応させた装着金型情報を、当該上下一対金型の管理に用いるため保存する装着金型データベースと、前記上下一対金型が前記機械から取り出されたとき、前記呼称情報をキーとして前記金型情報に装着履歴を含む金型装着実績情報を、当該上下一対金型の管理に用いるため保存する金型装着実績データベースと、前記装着金型データベースの保存対象となる情報または保存情報を登録または編集し、または、前記金型装着実績データベースの保存対象となる情報または保存情報を登録または編集する仮装着金型データベースと、前記装着金型データベース、前記金型装着実績データベースおよび前記仮装着金型データベースの処理を実行する処理手段と、を備えているパンチプレスの金型管理装置である。
【発明の効果】
【００１６】
この発明は以上のように、金型選択交換装置を備えたパンチプレスの金型管理方法において、パンチングに用いる上下一対金型の金型情報に呼称情報を付与し、前記上下一対金型が金型選択交換装置を含む機械に装着されているとき、工具番号または格納位置番号をキーとしてこれに当該上下一対金型の金型情報を対応させた装着金型情報を用いて当該上下一対金型を管理し、前記上下一対金型が前記機械から取り出されたとき、前記呼称情報をキーとして前記金型情報に装着履歴を含む金型装着実績情報を用いて当該上下一対金型を管理し、前記上下一対金型を再び機械に装着するとき、前記呼称情報をキーとして当該上下一対金型の前記金型装着実績情報を前記装着金型情報に引き当てるように構成したので、上下一対金型に呼称情報を付すことで、装着金型情報として蓄えられた履歴データを実質的に保存することができる。
【００１７】
これにより、一旦機械から取り出された上下一対金型であっても、その上下一対金型が再び機械に搭載されるときは、前回までの履歴データと対応づけることができるため、情報的にはその上下一対金型があたかもバーチャルな機械空間に搭載され続けているような管理を実現することができる効果がある。
【発明を実施するための最良の形態】
【００１８】
この発明の実施の形態を、図面を参照して説明する。
【００１９】
図１は、この発明によるパンチプレスの金型管理装置の一実施の形態を示す要部の概略的ブロック図であり、このパンチプレスの金型管理装置１は、金型選択交換装置を備えたパンチプレスの金型を管理するものである。
【００２０】
そこで、まず、図１６〜図１８を参照して、このような金型選択交換装置を備えたパンチプレスの具体例について説明する。
【００２１】
図１６、図１７は、シングルパンチプレスの一例を示す。このシングルパンチプレス１０１は、門型形状をしたフレーム１０３の中央部における上部フレーム１０５と下部フレーム１０７の間にギャップＧを備えている。このギャップＧにおける加工位置Ｋには、パンチＰが上部フレーム１０５に上下動自在に支持されると共に、ダイＤが下部フレーム１０７に上下動自在に支持されている。
【００２２】
一方、ギャップＧには、加工されるワークＷを支持して位置決めするワーク移動位置決め装置１０９が設けられている。このワーク移動位置決め装置１０９には、加工テーブル１１１が、Ｙ軸方向（図１６において左右方向）に設けられている１対のガイドレール１１３に沿って移動すべく、加工テーブル１１１の図１６における右端部にキャレッジベース１１５が設けられている。
【００２３】
このキャレッジベース１１５は、Ｙ軸モータ（図示省略）によりＹ軸方向へ移動・位置決め自在となっている。また、キャレッジベース１１５には、ワークＷを把持する複数のワーククランパ１１７を備えてＸ軸方向（図１７中上下方向）へ移動・位置決め自在のＸキャレッジ１１９を有している。
【００２４】
上記構成により、ワークＷをワーククランパ１１７により把持して、Ｘキャレッジ１１９をＸ軸方向へ、またキャレッジベース１１５をＹ軸方向へ移動させて、ワークＷを加工位置Ｋに位置決めする。そして、駆動装置によりパンチＰを打圧して、パンチＰとダイＤとの協働によりワークＷにパンチング加工を行う。
【００２５】
また、パンチプレス１０１の図１６における左側には、多数のパンチＰおよびダイＤを収納する金型収納装置１２１が設けられている。この金型収納装置１２１とパンチプレス１０１との間には、使用済みの金型をパンチプレス１０１から搬出して金型収納装置１２１へ収納し、また、次に使用する新しい金型をパンチプレス１０１へ搬入するための金型交換装置１２３が設けられている。
【００２６】
そして、これらの金型収納装置１２１および金型交換装置１２３が、金型選択交換装置を構成している。
【００２７】
さらに、パンチプレス１０１の右側には、油圧シリンダ等を制御するための油圧ユニット１２５が設けられている。
【００２８】
図１８は、タレットパンチプレスの一例を示す。このタレットパンチプレス２０１は、ベース２０３の両側にコラムフレーム２０５、２０７を立設し、このコラムフレーム２０５、２０７上には上部フレーム２０９が一体的に設けられている。
【００２９】
上部フレーム２０９から垂下して複数のパンチＰを装着した小径の上部タレット２１１が、上部回転軸２１３により回転自在に設けられている。また、上部タレット２１１の下方に相対向して、複数のダイＤを装着した大径の下部タレット２１５が下部回転軸２１７により回転自在に設けられている。
【００３０】
上部タレット２１１と下部タレット２１５とは偏心して設けられ、パンチング加工位置Ｋ１とパンチ交換位置Ｋ２とダイ交換位置Ｋ３が設けられていて、パンチング加工位置Ｋ１のパンチＰの直上には、ラム２１９を備えた流体圧シリンダ２２１が設けられている。
【００３１】
上記構成により、図示を省略したがサーボモータ等により回転伝達部材を介し同期して上部タレット２１１と下部タレット２１５は回転し、パンチング加工位置Ｋ１に位置決めされたパンチＰとダイＤは流体圧シリンダ２２１の作動によりラム２１９を介して打撃され、パンチＰとダイＤとの協働によりワークＷにパンチング加工が施される。
【００３２】
ベース２０３の上部にはワークテーブル２２３が設けられ、このワークテーブル２２３の上部にはＹ軸駆動モータ２２５に連結されたボールねじ２２７がＹ軸方向（図１８において左右方向）へ延伸して設けられている。
【００３３】
そして、ボールねじ２２７に螺合したＸ軸方向（図１８において図面に直交する方向）へ延伸してキャレッジベース２２９が設けられ、このキャレッジベース２２９にＸ軸方向へ移動自在なキャレッジ２３１が内装され、キャレッジ２３１にはＸ軸方向へ移動自在な複数のワーククランプ装置２３３が設けられている。
【００３４】
上記構成により、キャレッジベース２２９がＹ軸方向へ移動されると共に、キャレッジ２３１がＸ軸方向へ移動されることにより、ワーククランプ装置２３３に把持されたワークＷはＸ軸、Ｙ軸方向へ移動され、加工すべき所望の位置がパンチング加工位置Ｋ１に位置決めされるものである。
【００３５】
パンチング加工位置Ｋ１の反対側適宜位置に、上部タレット２１１と下部タレット２１５に隣接してパンチＰ、ダイＤを交換するツールチェンジャ２３５が設けられ、このツールチェンジャ２３５に隣接して、複数のパンチＰ，ダイＤを収納したストレージタレット２３７が設けられている。
【００３６】
ツールチェンジャ２３５は、コ字形状の支柱２３９が床上に立設され、この支柱２３９にねじ回転用駆動モータ２４１にて回転するボールねじ２４３と、スプライン回転用駆動モータ２４５にて回転するスプラインシャフト２４７とが設けられている。
【００３７】
ボールねじ２４３にはパンチ用支持部材２４９とダイ用支持部材２５１とが螺合していることによりパンチ用支持部材２４９とダイ用支持部材２５１が上下自在であり、パンチ、ダイ用支持部材２４９，２５１のスプラインシャフト２４７側には、このスプラインシャフト２４７に係合したパンチ交換用ツールチェンジャアーム２５３とダイ交換用ツールチェンジャアーム２５５とが設けられている。
【００３８】
パンチ交換用ツールチェンジャアーム２５３とダイ交換用ツールチェンジャアーム２５５のそれぞれの先端側にはパンチＰ，ダイＤを把持する例えば公知の構成である板バネグリッパを備えたパンチ用グリッパ２５７とダイ用グリッパ２５９が設けられている。そして、図示を省略したがパンチ、ダイ用グリッパ２５７，２５９は前後方向へ伸縮自在に設けられている。
【００３９】
ストレージタレット２３７は、床上に設けたベースプレート２６１上に回転自在に支柱２６３が立設され、ベースプレート２６１上に支柱回転用駆動モータ２６５が立設され、この支柱回転用駆動モータ２６５の出力軸に装着されたギヤ２６７が、支柱２６３に固着されたギヤ２６９に噛合されている。よって、支柱回転用駆動モータ２６５の駆動によりギヤ２６７、ギヤ２６９を介して支柱２６３は回転されるものである。
【００４０】
支柱２６３には、上下方向へ複数組（図１８では２組）のパンチ用円盤２７１Ａ，２７１Ｂとダイ用円盤２７３Ａ，２７３Ｂが装着され、支柱２６３の回転と共にパンチ、ダイ用円盤２７１Ａ，２７１Ｂ、２７３Ａ，２７３Ｂは回転するものである。
【００４１】
そして、このようなツールチェンジャ２３５およびストレージタレット２３７が、金型選択交換装置を構成している。
【００４２】
上記のような金型選択交換装置を備えたパンチプレスの金型を管理するため、このパンチプレスの金型管理装置１は、図１に示すように、装着金型データベース（ＤＢ）２、金型装着実績データベース（ＤＢ）３、仮装着金型データベース（ＤＢ）４、画面表示・操作部５、および処理部６を備えている。
【００４３】
装着金型データベース２は、パンチプレスおよび金型選択交換装置を含む機械全体に搭載されている上下一対の金型についてさまざまな情報を保存しておくものであり、これらの上下一対金型を、Ｔ番号（工具番号または格納位置番号）をキーとして管理するようになっている。
【００４４】
金型装着実績データベース３は、パンチプレスおよび金型選択交換装置を含む機械から取り出された上下一対の金型について、取り出される直前の装着実績の履歴情報を保存しておくものである。
【００４５】
そして、金型装着実績データベース３は、上下一対の金型について使用者が使用意図や使用態様（使い方や使い勝手）に基づき、その上下一対金型を識別するため自由に設定・変更可能に付けておく呼称情報（ニックネーム）をキーとして管理するようになっている。
【００４６】
そのため、金型装着実績データベース３を用いることで、パンチプレスおよび金型選択交換装置を含む機械から取り出された上下一対金型について、取り出される直前の装着実績の履歴情報を保存しておくことができ、しかもその上下一対金型を、ニックネームをキーとして管理することができる。
【００４７】
仮装着金型データベース４は、例えば新規に納入・購入した上下一対の金型をパンチプレスおよび金型選択交換装置を含む機械に搭載する前に、その上下一対金型の情報を登録するものである。そして、必要な上下一対金型の情報をすべて仮装着金型データベース４に登録したら、それらを一括して装着金型データベース２に割り当てる。
【００４８】
また、仮装着金型データベース４は、装着金型データベース２または金型装着実績データベース３に保存されている任意の上下一対金型の情報を呼び出して編集するものである。そして、必要な編集が終わった内容は装着金型データベース２または金型装着実績データベース３に割り当てて更新する。
【００４９】
そのため、仮装着金型データベース４を用いることで、装着金型データベース２に保存したい上下一対金型の情報、または保存されている上下一対金型の情報を、任意に登録または編集することができ、しかもその登録または編集を、機械の運転／停止にかかわりなく実現することができる。
【００５０】
また、仮装着金型データベース４を用いることで、金型装着実績データベース３に保存したい上下一対金型の情報、または保存されている上下一対金型の情報を、任意に登録または編集することができ、しかもその登録または編集を、当然のことながら、機械の運転／停止にかかわりなく実現することができる。
【００５１】
画面表示・操作部５は、以上のような各データベース２，３，４の内容表示や使用者による操作、並びに、パンチプレスおよび金型選択交換装置を含む機械各部の状態表示や使用者による操作を受け付けるものである。
【００５２】
処理部６は、各データベース２，３，４の内容を画面表示・操作部５に表示したり、データベース２，３，４間でデータを移し替えたり、画面表示・操作部５に対する使用者の操作に応じて適宜の処理ルーチンを選択したり、その他さまざまの処理を実行するものである。
【００５３】
なお、シングルパンチプレスの編集項目には、例えば図１４に示すように、Ｔ番号（２番目）、形状（９番目）、Ｘ寸法（１１番目）、Ｙ寸法（１２番目）、Ｒ寸法（１３番目）、クリアランス（１５番目）を含む多種多様の項目があるが、この発明では「ニックネーム」（４４番目）を有していることに特徴がある。
【００５４】
また、タレットパンチプレスの編集項目には、例えば図１５に示すように、Ｔ番号（２番目）、形状（１０番目）、Ｘ寸法（１２番目）、Ｙ寸法（１３番目）、Ｒ寸法（１４番目）、クリアランス（１６番目）を含む多種多様の項目があるが、この発明では「ニックネーム」（４０番目）を有していることに特徴がある。
【００５５】
図１４、図１５において、〇は使用者が編集可能な項目、×は使用者が編集不可能な項目を示す。
【００５６】
次に、図２〜図１３に示す画面表示・操作部５の画面を参照して、パンチプレスの金型管理装置１の動作、すなわち、処理部６による各データベース２，３，４および画面表示・操作部５の処理について説明する。
【００５７】
まず、図２に示すように、このパンチプレスの金型管理装置１のメイン画面であり、装着金型データベース２に保存されている金型情報を用いる「装着金型一覧」画面１０が表示される。
【００５８】
この「装着金型一覧」画面１０の表示状態で、例えば、交換したい金型を使用者が画面から選択（画面上で該当欄をタッチ）して、図示しない段取り用機械起動ボタンを使用者が押すと、機械が作動して選択された金型を取り出す。（または使用者が手動で金型を取り出す。）
【００５９】
また、図２に示す「装着金型一覧」画面１０の表示状態で、該当する金型を使用者が画面から選択（画面上で該当欄をタッチ）して「詳細」ボタン１１を押すと、図３に示すように、画面が「装着金型詳細」画面２０に切り替わって表示される。この「装着金型詳細」画面２０も、装着金型データベース２に保存されている金型情報を用いる。
【００６０】
図２に示す「装着金型一覧」画面１０または図３に示す「装着金型詳細」画面２０の表示状態で、実際に金型が抜き取られると、その抜き取りタイミングで、図４に示すような「金型抜取確認」ダイアログボックス２５がポップアップ表示される。この「金型抜取確認」ダイアログボックス２５で「交換」ボタン２６を押すことで、使用者の意思をシステムに伝える。
【００６１】
すると、使用者が「交換」を選択したので、図５に示すように、新規登録のための「装着金型詳細：新規登録」画面３０が表示される。これは図３の「装着金型詳細」画面２０と実質的に同一のものであるが、新規登録のものであるためＴ番号以外はすべて空欄である。
【００６２】
なお、図２の「装着金型一覧」画面１０で該当する金型データのない欄を使用者が選択した場合も、図５に示す「装着金型詳細：新規登録」画面３０が表示される。
【００６３】
つぎに、図５に示す「装着金型詳細：新規登録」画面３０の表示状態で、使用者が「履歴引当」ボタン３１を押すと、図６に示すように、画面が「金型装着実績一覧」画面４０に切り替わって表示される。
【００６４】
この「金型装着実績一覧」画面４０は、金型装着実績データベース３に保存されている金型情報を用いるものであり、各金型を固有のニックネームで管理する。
【００６５】
図６に示す「金型装着実績一覧」画面４０の表示状態で、使用者が「検索」ボタン４１を押すと、図７に示すような「検索」ダイアログボックス４５がポップアップ表示される。この「検索」ダイアログボックス４５で、例えばニックネームから過去の金型装着実績を検索することができる。
【００６６】
図６に示す「金型装着実績一覧」画面４０の表示状態で、該当する金型データがあれば、図８（ａ）に示すように、使用者が「コピー」ボタン４２を押してデータをコピーし、図８（ｂ）に示すように、「装着金型詳細：新規登録」画面３０の所定のＴ番号に貼り付ける。
【００６７】
これにより、図２に示す「装着金型一覧」画面１０におけるそのＴ番号の該当欄には、「金型装着実績一覧」画面４０からコピーした詳細データが引き当てられることとなる。
【００６８】
一方、メイン画面である図２に示す「装着金型一覧」画面１０の表示状態で、使用者が「仮ＳＴ」ボタン１２を押すと、図９に示すように、画面が「仮ステーション一覧」画面５０に切り替わって表示される。この「仮ステーション一覧」画面５０では、各金型を固有のニックネームで管理する。
【００６９】
図９に示す「仮ステーション一覧」画面５０の表示状態で、該当する金型を使用者が画面から選択（画面上で該当欄をタッチ）して「詳細」ボタン５１を押すと、図１０に示すように、画面が「装着金型詳細」画面６０に切り替わって表示される。この「装着金型詳細」画面６０では、Ｔ番号については初期値「××××××」となる。
【００７０】
また、図９に示す「仮ステーション一覧」画面５０の表示状態で、該当する金型データのない欄を使用者が選択した場合は、図１１に示すように、「装着金型詳細：新規登録」画面７０が表示される。この場合も、Ｔ番号については初期値「××××××」となる。
【００７１】
つぎに、図１１に示す「装着金型詳細：新規登録」画面７０の表示状態で、使用者が「履歴引当」ボタン７１を押すと、図１２（ａ）に示すように、画面が「金型装着実績一覧」画面４０に切り替わって表示される。
【００７２】
図１２（ａ）に示す「金型装着実績一覧」画面４０の表示状態においても、図６で説明したのと同様に、使用者が「検索」ボタン４１を押すと、図７に示すような「検索」ダイアログボックス４５がポップアップ表示される。この「検索」ダイアログボックス４５で、例えばニックネームから過去の金型装着実績を検索することができる。
【００７３】
図１２（ａ）に示す「金型装着実績一覧」画面４０の表示状態で、該当する金型データがあれば、使用者が「コピー」ボタン４２を押してデータをコピーし、図１２（ｂ）に示すように、「装着金型詳細：新規登録」画面７０の初期値「××××××」のＴ番号に貼り付ける。
【００７４】
同様にして、図１２（ａ）に示す「金型装着実績一覧」画面４０の表示状態で、該当する別の金型データがあれば、使用者が「コピー」ボタン４２を押してデータをコピーし、図１２（ｂ）に示すように、「装着金型詳細：新規登録」画面７０の初期値「××××××」の別のＴ番号に貼り付ける。
【００７５】
このようにして必要な金型をすべて仮装着金型データベース４に登録したら、最後にこれを、所定のＴ番号に割り当てながら装着金型データベース２にコピーする。
【００７６】
ここで、ニックネームの付け方について簡単に説明する。
【００７７】
図３に示す「装着金型詳細」画面２０の表示状態で、使用者が「ニックネーム設定」ボタン２２を押すと、図１３に示すような「ニックネームウィザード」画面８０が表示される。このとき「ニックネーム表示」欄８１には、「装着金型詳細」画面２０に表示されたニックネームがそのまま表示される。
【００７８】
また、図５に示す「装着金型詳細：新規登録」画面３０の表示状態で、使用者が「ニックネーム設定」ボタン３２を押したときも、図１３に示すような「ニックネームウィザード」画面８０が表示される。このとき「ニックネーム表示」欄８１は空欄となる。
【００７９】
また、図８（ｂ）に示す「装着金型詳細：新規登録」画面３０の表示状態で、使用者が「ニックネーム設定」ボタン３２を押すと、図１３に示すような「ニックネームウィザード」画面８０が表示される。このとき「ニックネーム表示」欄８１には、「装着金型詳細：新規登録」画面３０に表示されたニックネームがそのまま表示される。
【００８０】
また、図１０に示す「装着金型詳細」画面６０の表示状態で、使用者が「ニックネーム設定」ボタン６２を押すと、図１３に示すような「ニックネームウィザード」画面８０が表示される。このとき「ニックネーム表示」欄８１には、「装着金型詳細」画面６０に表示されたニックネームがそのまま表示される。
【００８１】
また、図１１に示す「装着金型詳細：新規登録」画面７０の表示状態で、使用者が「ニックネーム設定」ボタン７２を押すと、図１３に示すような「ニックネームウィザード」画面８０が表示される。このとき「ニックネーム表示」欄８１は空欄となる。
【００８２】
さらに、図１２（ｂ）に示す「装着金型詳細：新規登録」画面７０の表示状態で、使用者が「ニックネーム設定」ボタン７２を押すと、図１３に示すような「ニックネームウィザード」画面８０が表示される。このとき「ニックネーム表示」欄８１には、「装着金型詳細：新規登録」画面７０に表示されたニックネームがそのまま表示される。
【００８３】
このようないずれの場合でも、「ニックネームウィザード」画面８０を使って、使用者が「ニックネーム表示」欄８１に気に入ったニックネームを自由に入力し、また変更することができる。
【００８４】
これだけでなく、任意のデータベース２，３，４に上下一対金型を新規に登録する場合も、「ニックネームウィザード」画面８０を使って、使用者が「ニックネーム表示」欄８１に気に入ったニックネームを自由に入力することができるように設定されている。
【００８５】
そして、ニックネームを入力または変更後、使用者が「確定」ボタン８２を押すと、その入力または変更されたニックネームが該当するデータベース２，３，４に登録されるものである。
【図面の簡単な説明】
【００８６】
【図１】この発明によるパンチプレスの金型管理装置の一実施の形態を示す要部の概略的ブロック図である。
【図２】「装着金型一覧」画面を示す説明図である。
【図３】「装着金型詳細」画面を示す説明図である。
【図４】「金型抜取確認」ダイアログボックスを示す説明図である。
【図５】「装着金型詳細：新規登録」画面を示す説明図である。
【図６】「金型装着実績一覧」画面を示す説明図である。
【図７】「検索」ダイアログボックスを示す説明図である。
【図８】（ａ）「金型装着実績一覧」画面、（ｂ）「装着金型詳細：新規登録」画面を示す説明図である。
【図９】「仮ステーション一覧」画面を示す説明図である。
【図１０】「装着金型詳細」画面を示す説明図である。
【図１１】「装着金型詳細：新規登録」画面を示す説明図である。
【図１２】（ａ）「金型装着実績一覧」画面、（ｂ）「装着金型詳細：新規登録」画面を示す説明図である。
【図１３】「ニックネームウィザード」画面を示す説明図である。
【図１４】シングルパンチプレスの編集項目の一例を示す説明図である。
【図１５】タレットパンチプレスの編集項目の一例を示す説明図である。
【図１６】シングルパンチプレスの一例を示す正面図である。
【図１７】図１６のものの平面図である。
【図１８】タレットパンチプレスの一例を示す正面図である。
【符号の説明】
【００８７】
１  パンチプレスの金型管理装置
２  装着金型データベース（ＤＢ）
３  金型装着実績データベース（ＤＢ）
４  仮装着金型データベース（ＤＢ）
５  画面表示・操作部
６  処理部
１０  「装着金型一覧」画面
１１，５１  「詳細」ボタン
１２  「仮ステーション」ボタン
２０，６０  「装着金型詳細」画面
２２，３２，６２，７２  「ニックネーム設定」ボタン
２５  「金型抜取確認」ダイアログボックス
２６  「交換」ボタン
３０，７０  「装着金型詳細：新規登録」画面
３１，７１  「履歴引当」ボタン
４０  「金型装着実績一覧」画面
４１  「検索」ボタン
４２  「コピー」ボタン
４５  「検索」ダイアログボックス
５０  「仮ステーション一覧」画面
８０  「ニックネームウィザード」画面
８１  「ニックネーム表示」欄
８２  「確定」ボタン
１０１  シングルパンチプレス
１２１  金型収納装置
１２３  金型交換装置
２０１  タレットパンチプレス
２３５  ツールチェンジャ
２３７  ストレージタレット
【図１】
2005034874.tif 000003
【図２】
2005034874.tif 000004
【図３】
2005034874.tif 000005
【図４】
2005034874.tif 000006
【図５】
2005034874.tif 000007
【図６】
2005034874.tif 000008
【図７】
2005034874.tif 000009
【図８】
2005034874.tif 000010
【図９】
2005034874.tif 000011
【図１０】
2005034874.tif 000012
【図１１】
2005034874.tif 000013
【図１２】
2005034874.tif 000014
【図１３】
2005034874.tif 000015
【図１４】
2005034874.tif 000016
【図１５】
2005034874.tif 000017
【図１６】
2005034874.tif 000018
【図１７】
2005034874.tif 000019
【図１８】
2005034874.tif 000020